(57)【特許請求の範囲】
【請求項１】
電子カード用スロット及び電子カード用スロット・ドアを有する電子機器と、
前記電子機器を陳列スタンドに係留するための電子機器係留装置との組み合わせであって、
前記電子機器係留装置は、鍵組立体及び錠組立体から成り、
前記錠組立体は、
前記電子カード用スロットへの挿入のために形づくられた第１部材と、
前記第１部材に連続する第２部材と、
前記第２部材に連続する第３部材と、
前記第２部材及び前記第３部材に隣接する防護柵とから成り、
前記第２部材は、前記第１部材及び前記第３部材に対する凹状領域を画成し、
前記第３部材は、前記防護柵に隣接して前記鍵組立体を受容するための受容領域を画成する錠組立体であり、
前記鍵組立体は、前記防護柵に係合する開口部を画成して成り、
前記錠組立体が、前記電子カード用スロットへ挿入され、前記電子カード用スロット・ドアが前記凹状領域内に位置することによって、前記錠組立体は所定位置に固定される一方、前記鍵組立体を該錠組立体に沿って滑り込ませて前記開口部と前記防護柵とを係合させることにより、前記電子カード用スロットから前記錠組立体を引き出すことが可能になる、電子機器および電子機器係留装置の組み合わせ。
【請求項２】
請求項１の組み合わせであって、前記電子カード用スロット・ドアが、前記電子カード用スロットへの前記錠組立体の挿入で該錠組立体の前記凹状領域内に動く組み合わせ。
【請求項３】
請求項２の組み合わせであって、前記錠組立体の前記第１部材が、前記電子カード用スロット・ドアによって、前記電子カード用スロットからの取り外しを阻止される組み合わせ。
【請求項４】
請求項２の組み合わせであって、前記錠組立体の前記第３部材が、
前記錠組立体の挿入を制限することによって、前記電子カード用スロット・ドアの前記凹状領域を超える移動を阻止する組み合わせ。
【請求項５】
請求項１の組み合わせであって、
前記鍵組立体が、該鍵組立体が前記錠組立体に挿入された時に前記凹状領域から前記電子カード用スロット・ドアを移動させる突起部材を具備して成り、
前記鍵組立体が、前記錠組立体を解放して前記電子カード用スロットからの取り出しを可能とする組み合わせ。
【請求項６】
請求項１の組み合わせであって、更に、施錠位置にあるときに前記錠組体に対する前記鍵組立体の移動を阻止し、解錠位置にあるときに前記錠組立体に対する前記鍵組立体の移動を可能にする手段を備える組み合わせ。
【請求項７】
請求項１の組み合わせであって、前記錠組立体につながれた係留手段をさらに備える組み合わせ。
【請求項８】
電子カード用スロットと電子カード用スロット・ドアとを有する電子機器を陳列スタンドに解放可能に係留する方法であって、
錠組立体を前記電子カード用スロットに挿入するステップであって、
前記錠組立体が、第１部材、該第１部材に連続する第２部材、該第２部材に連続する第３部材、ならびに該第２部材及び該第３部材に隣接する防護柵から成り、
前記第２部材が前記第１部材及び前記第３部材に対して凹状領域を画成し、
前記第３部材が鍵組立体を受容する領域を画成する前記錠組立体を前記電子カード用スロットに挿入するステップと、
前記電子カード用スロット・ドアが動いて前記凹状領域に入るように、前記錠組立体を動かすステップと、
前記電子カード用スロット・ドアにより、前記電子カード用スロットからの前記第１部材の取り出しを阻止するステップと、
前記３部材が前記錠組立体の挿入を制限することによって、前記電子カード用スロット・ドアの前記凹状領域を超える移動を阻止するステップと、
前記錠組立体を前記陳列スタンドの近傍の限られた領域に係留するステップとを有する電子機器を解放可能に係留する方法。
【請求項９】
請求項８の電子機器を解放可能に係留する方法であって、前記係留ステップが、前記錠組立体をつなぎ留めることを含む電子機器を解放可能に係留する方法。
【請求項１０】
請求項８の電子機器を解放可能に係留する方法によって係留された電子機器を解放する方法であって、
突起部材を有する鍵組立体を前記受容領域に挿入するステップと、
前記鍵組立体を前記受容領域から前記凹状領域内に滑り込ませて前記電子カード用スロット・ドアを前記凹状領域から外れさせて、前記錠組立体を前記電子カード用スロットから抜き出せるように解放するステップとを備える電子機器の解放方法。
【請求項１１】
請求項８の電子機器を解放可能に係留する方法であって、更に、
突起部材を有しており前記受容領域に位置決めされた前記鍵組立体の、前記凹状領域に対する移動を規制するステップを備える電子機器を解放可能に係留する方法。
【請求項１２】
請求項１１の電子機器を解放可能に係留する方法によって係留された電子機器を解放する方法であって、更に、
前記凹状領域に対する前記鍵組立体の移動を許容するステップと、
前記錠組立体の前記電子カード用スロットからの取り外しのために、前記凹状領域から外れるように前記電子カード用スロット・ドアを移動し前記錠組立体を解放するように、前記受容領域から前記凹状領域に該鍵組立体を滑り込ませるステップとを備える電子機器の解放方法。
【発明の詳細な説明】
【０００１】
【発明の属する技術分野】
本発明は、一般に、店頭の電子機器を係留することに関するものであり、特に、電子機器を電子機器のPCカード用スロットを介して陳列スタンドに係留するための装置に関するものである。
【０００２】
【従来の技術】
店頭で展示中の電子機器の盗難予防措置として、小売業者は、しばしばガラス展示ケースに小型であるが高価な電子機器を閉じ込めていた。成熟した小型の高価な電子機器の市場にあっては、多くのメーカーが類似製品の列を送り出し、顧客は購買決断をするために、種々のメーカーの多数陳列されている種々のモデルを評価する必要があった。
ポケット日記帳、電子オーガナイザ、パームトップ型コンピュータ等のような種々の小型電子機器は、異なったインターフェースと手触りを有した精巧な機器である。その結果、顧客は、通常、陳列ケースを通して眺めるだけで購買決定することに甘んじないであろう。顧客は、それらの高価な機器に対し実地のアクセスを要望している。
【０００３】
顧客は、通常、陳列ケースを通して製品を眺め、興味を抱けば、店員にその機器を詳しく見せるように依頼している。しかし、この手順は顧客にとっても、店員にとっても不便であった。この手順は、その製品を評価し、操作する前に、顧客に店員と接触することを求めているので顧客に不便を与えていた。
更に、この手順は、眺めるだけの顧客に店員を付き添わせるので小売業者にも不便を与えるものであった。店員が傍に待機している間、顧客がせきたてられるようにその商品を操作する場合、この手順は買物体験を不愉快にしていた。
【０００４】
小売業者達は、顧客が種々の機器タイプ及びモデルを使用し、評価し、比較できるような方法でこれらの電子機器を陳列する必要性を認めていた。
顧客がこの電子機器を持ち逃げすることを防止するため、この電子機器を展示スタンドに係留するための装置が必要であった。陳列スタンドに商品を係留する通常の方法は、スタンドに電子機器の底部を固定するか、あるいはスタンドに電子機器を係留することであった。通常の係留手段は、革紐、チェーン及びスチールワイヤーであった。
【０００５】
【発明が解決しようとする課題】
しかしながら、有効な係留方法は、しばしば、商品ケースに穴を穿設することを必要としたが、これは商品を販売不可能にする好ましくない結果をもたらしていた。又、このようなアプローチは、ある程度の技術と特殊の道具を必要とするので、厄介なものであった。余り効果的でないアプローチとしては、係留手段の一方の端部にあるクリップを陳列商品に貼付する一方、この係留手段の他方の端部を陳列スタンドに永久的に固定することであったが、これらのクリップは、しばしば、外れて陳列商品を非係留状態に置くことがあった。
【０００６】
本発明の目的は、前述した従来技術の問題点を解消し、電子カード用スロットを有する小型電子機器を係留した状態で顧客が使用、評価、及び比較するために実地のアクセスが可能で且つ係留手段が電子カード用スロットからの引き抜きを阻止可能な電子機器係留装置を提供することを目的とするものである。
【０００７】
【課題を解決するための手段】
本発明のかかる目的は、電子カード用スロット及び電子カード用スロット・ドアを有する電子機器を陳列スタンドに係留するための電子機器係留装置であって、鍵組立体及び錠組立体から成り、前記錠組立体は、電子カード用スロットへの挿入のために形成された第１部材、前記第１部材に連続する第２部材、前記第２部材に連続する第３部材、及び前記第２部材及び前記第３部材に隣接する防護柵から成り、更に、前記第２部材は前記第１部材及び前記第３部材に関連して凹状領域を画成し、前記第３部材は前記防護柵に隣接して前記鍵組立体を受容するための受容領域を画成し、前記鍵組立体は、前記防護柵に係合するための開口部を画成して成り、前記錠組立体が、前記電子カード用スロットへの挿入で所定位置に固定される一方、前記鍵組立体を前記錠組立体に沿って滑り込ませて前記開口部と前記防護柵を係合させることにより解放されることを特徴とする電子機器係留装置によって達成される。
【０００８】
本発明の電子機器係留装置は、店頭において電子機器を係留するための代替装置に向けられている。本発明によれば、PCカード用スロットを有する電子機器は、前記PCカード用スロット内に挿入される装置によって係留される。前記装置は、陳列スタンド又は近くの備付け品に前記電子機器を係留する。
本発明の一局面によれば、前記電子機器の係留装置は、錠組立体と鍵組立体を具備している。前記錠組立体は、前記PCカード用スロット内に滑り込み、所定位置に固定する。
本発明の一実施態様において、PCカード用スロット・ドアは、前記錠組立体の溝部に近づき、前記錠組立体を固定する。しかる後、前記錠組立体は、前記陳列スタンドに、例えば、直接的にあるいは係留手段を介して係留される。前記錠組立体を前記電子機器から解放させるために、前記鍵組立体が前記錠組立体内に挿入され、該鍵組立体が操作されて前記PCカード用スロットから前記錠組立体を滑り出させて離脱するように解放する。
【０００９】
本発明の別の局面によれば、前記錠組立体は、該組立体を前記PCカード用スロット内に滑り込ませることを可能にするPCカード規格あるいは同様の専有仕様に適合する部材を具備している。前記錠組立体は、前記PCカード状部材に連続する溝部領域を具備している。更に、前記溝部領域に連続して、閉塞部材を具備している。
挿入時に、前記PCカード状部材が前記PCカード用スロット・ドアを越えて前進すると、前記PCカード用スロット・ドアが前記溝部内に近づく。前記閉塞部材は、前記錠組立体が前記PCカード用スロット内に更に前進することを阻止する。前記PCカード状部材は、前記錠組立体が前記PCカード用スロットから滑り出ることを阻止する。前記PCカード用スロット・ドアは、前記錠組立体が所定位置に固定するように、前記PCカード状部材と前記閉塞部材との間の前記溝部内に楔状に割り込む。本発明の一実施態様では、係留手段の一方端部が前記錠組立体に永久的に取り付けられ、その他方端部が陳列スタンドあるいは近くの備え付け品に固定される。
【００１０】
本発明の更に別の局面によれば、前記錠組立体は、更に、一個以上の防護柵、及び前記鍵組立体を受容する領域を具備している。前記防護柵は、前記溝部と前記鍵組立体を受容する領域に夫々隣接して配設されている。
更に別の局面によれば、前記鍵組立体は、前記防護柵に対応して一個以上のスロットを画成する。作動中に、前記鍵組立体は、前記錠組立体の前記受容領域内に挿入される。そのような前記鍵組立体が、特定の鍵組立体に対し適正な鍵であれば、鍵スロットは前記防護柵と一列に並び、前記鍵組立体が前記防護柵を越えて前記錠組立体の溝部内に滑り込むことを可能にする。
前記防護柵と鍵スロットは、前記鍵組立体が前記溝部内に滑り込むと、互いに係合する。前記溝部に沿った前記鍵組立体の前進は、該溝部から前記PCカード用スロット・ドアを押し出す。この動作は前記錠組立体を解放させる。挿入された前記鍵組立体によって、店員は前記PCカード用スロットから前記錠組立体を抜き取ることが可能になる。
【００１１】
本発明の更に別の局面によれば、前記鍵組立体は、更に、前記錠組立体に対して該鍵組立体を所定位置に固定するロックセットを具備している。所定位置に固定されている間、前記鍵組立体は前記錠組立体内に滑り込めない。
前記ロックセットは、鎖錠位置と解錠位置を有し、前記鍵組立体は、前記ロックセットが鎖錠されていると滑り込めず、前記ロックセットが解錠されていると滑り込める。本発明の一実施態様では、市販されている鍵が、前記鎖錠位置と解錠位置との間で前記ロックセットを合わせている。
【００１２】
本発明の利点の一つは、PCカード用スロットを有する小型電子機器が、係留された状態で顧客による使用、評価、及び比較のためのアクセスを可能にすることである。前記ロックセットの利点は、店員、店長あるいは特定の人がその市販されている鍵を保有している間、前記鍵組立体が前記鎖錠された錠組立体の所定位置に放置し得ることである。
前記ロックセットの別の利点は、前記鍵組立体を所定位置に放置することが、前記PCカード用スロットに対するアクセスを阻止して前記錠組立体が引き出されることを防止することである。前述した及びその他の本発明の各局面及び利点は、添付した各図面に基づいて以下に詳述される本発明の説明を参照することによって充分に理解されるであろう。
【００１３】
【発明の実施の形態】
図１は、例えば、電子カード用スロット12を有するパームトップ型コンピュータ、ポケット日記帳、電子オーガナイザのような携帯型電子機器10を示している。電子カード用スロット・ドア14は、前記電子カード用スロット12へのアクセスを可能にする。
通常、前記ドア14は、閉止位置に対しばね付勢されている。前記電子カード用スロット12又はその種の他のものを有する他の携帯型電子機器には、携帯電話、携帯ファックス、専用計算器、小型汎用計算器も含まれるものと思われる。
携帯型計算器用の通常の電子カード用スロットは、PCカード用スロットである。他の専用仕様のカードスロットも、又、前記電子カード用スロット12に実施可能である。
【００１４】
前記PCカード用スロットは、パーソナルコンピュータ・メモリカード国際協会Personal Computer Memory Card International Association ( 以下、PCMCIAと略称する）によって規定された。このPCMCIAは、パーソナルコンピュータ関係の周辺機器、例えば、主としてラップトップ型、パームトップ型、及び他の携帯型計算器に関する共通の規格を推進するために形成されたメーカーと販売業者のグループである。
PCカードは、PCMCIA仕様に従ったアドイン・カードである。前記PCカードは、PCコネクタ内に差し込められるように設計されたクレジットカードと略同サイズ（54cm×85.6cm) の移動可能な装置である。1990年９月に導入されたPCMCIA仕様のリリース１は、厚さが3.3mm のタイプＩを掲載した。このタイプＩカードは、RAM,ROM,EEPROM, フラッシュメモリのような主にメモリ関係の周辺装置である。音声カードのような他の周辺装置も、又、タイプＩカードとして利用可能である。
1991年９月に導入されたPCMCIA仕様のリリース２は、厚さが 5.0mmのタイプIIカードと、厚さが10.5mmのタイプIIIカードを掲載した。タイプIIカードは、無線通信装置あるいはハードディスクのような回転記録媒体のような多くのスペースを必要とする機器に適用される。PCMCIA規格の見直しがPCカード32に関して検討中であり、このPCカード・32は、32ビットバスインターフェース、多機能カード、電力管理のサポートを有することが可能である。
【００１５】
通常のPCカード・32は、前記PCカード用スロット内に68極の雄型コネクタに結合する雌型コネクタを具備している。前記雌雄型コネクタは、タイプＩ、タイプII及びタイプIIIカードとも同じである。しかしながら、各タイプカードは、その高さが相違するので、各スロットも相違する。
特に、前記スロットの幅は同じであるが、前記スロットの高さは相違する。通常、タイプＩスロットは、タイプＩPCカードのみを収容可能である。通常、タイプIIスロットは、タイプIIPCカード又はタイプＩPCカードのみを収容可能である。タイプIIIスロットは、タイプIIIPCカード、タイプIIPCカード又はタイプＩPCカードを収容可能である。
【００１６】
図２は、前記電子カード用スロット12及び前記電子カード用スロット・ドア14を具備する前記電子機器10の一側面16を示している。前記電子カード用スロット12を代表するものは、電子カードの両端縁部を受容するための各レール18,20,22,24 である。前記各端縁部は、通常、前記各レール18〜24に乗るための隆起部を画成している。
前記各レール18〜24及び対応する前記各隆起部は、前記電子カードが適正に挿入されように特定の方向に整列される。例えば、PCカードが逆に挿入されると、前記各レール及び各隆起部は整列せず、前記PCカードと前記電子カード用スロット12内にある前記PCカードコネクタとの係合が阻止される。
【００１７】
本発明の前記錠組立体は、前記電子カード用スロット12の前記各レール18〜24に乗るための各隆起部を具備している。前記各レール及び各隆起部の形状及び個数は、電子カード用スロットの実態、例えば、PCカード用スロット、専用カード用スロット、又は他の露出された電子カード用スロットに応じて変化する。
【００１８】
図３は、本発明の一実施態様に基づく係留装置30の一実施態様を示している。前記係留装置30は、錠組立体32と鍵組立体34を具備している。前記錠組立体  32は、前記電子機器10の前記電子カード用スロット12内に滑り込み、所定位置に固定する。
前記錠組立体32は、陳列スタンドあるいは近くの備え付け品に係留されて、展示スタンドに対する前記電子機器10の移動を制限している。前記鍵組立体34は、前記錠組立体32を前記電子機器10から解放するために使用される。
【００１９】
前記錠組立体32は、先導部材36、溝部材38、及び閉塞部材40を具備している。前記先導部材36は、前記電子カード用スロット12内に挿入される。前記先導部材36は、前記電子カード用スロット12の仕様に適合されている。
従って、前記先導部材36は、両側にある隆起部42を有する略平坦な構造になっている。その両側間の各領域の形状は、平坦である必要がないが、前記電子カード用スロット12内で自由に滑動し嵌合できるように前記電子カードに一致させる。
【００２０】
前記溝部材38が前記先導部材36に連続している。前記溝部材38は、前記先導部材36に対し陥没した溝部44を具備している。前記溝部44はその長手方向に沿った壁部46により画成されている。前記壁部46は前記溝部44の長手方向に延長して図示されているが、全長さにわたり延長する必要がない。
【００２１】
前記閉塞部材40が前記壁部46に連続している。前記閉塞部材40は、前記電子カード用スロット12のそれよりも大きな高さを有している。その結果、前記閉塞部材40は、前記錠組立体32が特定箇所を越えて前記電子カード用スロット12内に挿入されることを阻止する。
特に、このことは前記錠組立体32が前記電子カード用スロット12内の電子部材を損傷させることを阻止している。本発明の一実施態様において、前記閉塞部材40は、一個以上の通穴52を具備している。前記通穴52の一つは前記陳列スタンドあるいは備え付け品に他方端部を固定した係留手段を受容し、他の前記通穴52は、例えば、マウス、スタイラス等の電子指示装置用の革紐又はワイヤを受容している。
【００２２】
前記閉塞部材40は、又、前記鍵組立体34を受容する領域56を具備している。本発明の一実施態様において、前記受容領域56は、前記溝部44と同一高さにある凹部である。本発明の別の一実施態様において、前記受容領域56は、前記溝部材38に隣接した貫通開口部である。
前記錠組立体32は、又、不一致の鍵に対する溝部のアクセスを阻止するための一個以上の防護柵62を具備している。前記鍵組立体34は、把手部材66及び一個以上の突起部材68を具備している。前記突起部材68は、対応する前記防護柵62を受容するために整列される一個以上の溝部70を画成している。
【００２３】
図４を参照すれば、前記錠組立体32は、前記電子カード用スロット12内への挿入によって、前記電子機器10に固定されている。前記先導部材36は、先ず、前記電子カード用スロット・ドア14を押し開けながら挿入される。前記溝部材38は、前記先導部材36が前記電子カード用スロット12内に滑り込むにつれて、前記先導部材36に追従して行く。
前記先導部材36が前記電子カード用スロット12内に滑り込むと、該先導部材36は、前記電子カード用スロット・ドア14を開放し続ける。特定の挿入深さで、前記先導部材36は前記電子カード用スロット・ドア14を越えて通過し、該ドア14の閉止方向に沿った付勢が前記ドア14に作用し始める。前記電子カード用スロット・ドア14は、前記溝部材38内に回動して該溝部材38の底部に衝突する。前記溝部材38の底部は、前記電子カード用スロット・ドア14がそれ以上閉止することを阻止している。
【００２４】
取扱者が前記錠組立体32を前記電子カード用スロット12内に過剰に挿入することを防ぐために、あるいは前記錠組立体32の先導端縁部が前記電子カード用スロット12内の端縁連結部内に詰め込まれることを防止するために、前記閉塞部材40が、更なる挿入を制限している。特に、前記閉塞部材40は前記電子カード用スロット12の開口部を越えた厚さを有しているので、前記閉塞部材40は前記電子カード用スロット・ドア14に当接することができない。
【００２５】
前記錠組立体32が前記電子カード用スロット12内に固定されると、前記電子カード用スロット・ドア14によって引き出されることが阻止される。特に、前記電子カード用スロット・ドア14は、前記溝部44内で楔状に割り込み且つ前記壁部46によって閉塞される。
なお、前記壁部46は前記溝部44の全長にわたって延在する必要がなく、前記錠組立体32の引き出し中に、前記電子カード用スロット・ドア14が開放することを阻止する単なるポストあるいは突起部であっても良い。このように、前記壁部46は前記錠組立体32が引き出されることを阻止する一方、前記閉塞部材40は前記錠組立体32が更に挿入されることを阻止していることに注目されたい。前記閉塞部材40は所定位置に固定されている。
【００２６】
図５は、陳列スタンド78に係留された前記電子機器10を示している。前記錠組立体32は、前記電子カード用スロット12内に固定されている。係留手段72は前記陳列スタンド78にその一方端部が取り付けられ、その他方端部は前記閉塞部材40の通穴52に取り付けられている。指示装置74も又、別の係留手段76を介して前記閉塞部材40の別の通穴52に取り付けられている。
本発明の変更例において、共通の係留手段が多数の電子機器10に対して使用されている。本発明の別の実施態様において、前記陳列スタンド78に代わり近くにある備え付け品に前記係留手段72が取り付けられている。好ましくは、前記電子機器10は前記陳列スタンド78の近くの局部的な領域内でその移動が可能なように係留される。更に、別の実施態様において、前記錠組立体32は、陳列棚90に固定され、前記電子機器10が前記錠組立体32の中に滑り込むあるいは中から滑り出すようになっている。例えば、前記錠組立体32は前記陳列棚90に貼付、締着、あるは別の方法で取り付けられる。
【００２７】
図４に示されているように、前記電子カード用スロット12内に固定された前記錠組立体32によって、前記鍵組立体34を介して解錠が達成される。図３〜６を参照すれば、前記鍵組立体34は前記閉塞部材40の前記受容領域56内に挿入される。
その後、前記把手部材66から延長されている前記突起部材68が前記電子カード用スロット12内に滑り込む。特に、前記鍵組立体34は前記閉塞部材40から前記溝部44内に滑り込む。所定の錠組立体32に対して設計された前記鍵組立体34の適例は、前記突起部材68が前記防護柵62を越えて滑り込んでいる。前記防護柵62は、実際において、前記鍵組立体34の前記溝部70に係合する。不適当な鍵組立体あるいは他の組立体に対して、前記防護柵62が前記溝部44へのアクセスを妨げる。
【００２８】
前記鍵組立体34が前記溝部44の幅を越えて滑り込むと、前記突起部材68の末端部が前記電子カード用スロット・ドア14を前記溝部44から押し出す。特に、前記突起部材68は前記電子カード用スロット・ドア14を前記壁部46の高さよりも上に押し上げる。挿入された前記鍵組立体34及び前記壁部46の高さよりも上に押し上げられた前記電子カード用スロット・ドア14によって、前記錠組立体32は解錠され、取扱者が前記電子カード用スロット12から前記錠組立体32を引き出すことを可能にしている。
【００２９】
図７は、付加された保護用の構成要素を有する図３〜７の係留装置30を示している。前記錠組立体32上の前記防護柵62は、特定の鍵組立体に対するアクセスを制限する目的のためのものであるが、各保護柵62の間にある開口部は、窃盗を企てようとする者が前記電子カード用スロット・ドア14に向けて針状物を挿入することを可能にしてしまう。更に前記電子機器10を防護し、前記錠組立体32を固定するために、前記鍵組立体34を以て前記受容領域56を詰め込んでしまうことで前記防護柵62へのアクセスを妨げる。図７は、ロックセット80が前記受容領域56内に前記鍵組立体34を詰め込む一実施態様を示している。前記ロックセット80はプランジャー部82とキー部84を具備している。前記キー部84は前記ロックセット80内に受容されて該ロックセット80を施錠位置と解錠位置間で変化させる。前記施錠位置で前記プランジャー部82が延伸されて前記鍵組立体34が前記電子カード用スロット12あるいは前記溝部44に進入することを阻止する。それに加えて、前記鍵組立体34が前記電子カード用スロット12へのアクセスを阻止する。閉塞された前記電子カード用スロット12によって、前記錠組立体32は引き抜かれることがない。
【００３０】
前記錠組立体32を引き抜くために、前記キー部84を回転させて前記ロックセット80を解錠位置に合わせる。その結果、前記プランジャー部82は後退して前記鍵組立体34が移動することを可能にする。そこで、取扱者は、前記鍵組立体34を前記電子カード用スロット12あるいは前記溝部44内に滑り込ませて、前記電子カード用スロット・ドア14を前記溝部44から押し出すことが可能になる。挿入された前記鍵組立体34によって、前記錠組立体32は前記電子カード用スロット12から引き出すことが可能になる。
【００３１】
以上、本発明の好ましい実施態様について図面に基づいて記述したが、本発明の種々の変更例、代替例及び等価例も使用することが可能である。従って、本発明の前述した説明が、付属する各請求項によって限定される本発明の範囲を制限するものではない。
なお、本発明の電子機器係留装置の各実施態様を列挙すると、概ね以下の通りである。
【００３２】
1)  電子カード用スロット及び電子カード用スロット・ドアを有する電子機器を陳列スタンドに係留するための電子機器係留装置であって、鍵組立体及び錠組立体から成り、前記錠組立体は、電子カード用スロットへの挿入のために形成された第１部材、前記第１部材に連続する第２部材、前記第２部材に連続する第３部材、及び前記第２部材及び前記第３部材に隣接する防護柵から成り、更に、前記第２部材は前記第１部材及び前記第３部材に関連して凹状領域を画成し、前記第３部材は前記防護柵に隣接して前記鍵組立体を受容するための受容領域を画成し、前記鍵組立体は、前記防護柵に係合するための開口部を画成して成り、前記錠組立体が、前記電子カード用スロットへの挿入で所定位置に固定される一方、前記鍵組立体を前記錠組立体に沿って滑り込ませて前記開口部と前記防護柵を係合させることにより解放されることを特徴とする電子機器係留装置。
【００３３】
2)  上記1)の電子機器係留装置であって、前記電子カード用スロット・ドアが、前記錠組立体の前記電子カード用スロットへの挿入で前記凹状領域内に近づくことを特徴とする電子機器係留装置。
【００３４】
3)  上記2)の電子機器係留装置であって、前記第１部材が、前記電子カード用スロット・ドアによって前記電子カード用スロットからの離脱を阻止され、又、前記第３部材が、前記凹状領域の前記電子カード用スロット・ドアを越えた前記電子カード用スロットへの移動を阻止することを特徴とする電子機器係留装置。
【００３５】
4)  上記2)の電子機器係留装置であって、前記鍵組立体が、前記凹状領域から前記電子カード用スロット・ドアを回動させる突出部材を具備して成り、前記鍵組立体が、前記錠組立体を解放して前記電子カード用スロットからの取り出しを可能とすることを特徴とする電子機器係留装置。
【００３６】
5)  上記1)の電子機器係留装置であって、更に前記鍵組立体が、前記錠組立体に解放可能にロックセットを有することを特徴とする装置。
【００３７】
6)  電子カード用スロットと電子カード用スロット・ドアとを有する電子機器を陳列スタンドに解放可能に係留する方法であって、第１部材、該第１部材に連続する第２部材、該第２部材に連続する第３部材、前記第２部材及び前記第３部材に隣接する防護柵から成り、前記第２部材が前記第１部材及び前記第３部材に対して凹状領域を画成し、前記第３部材が前記防護柵に隣接して前記鍵組立体を受容する領域を画成する前記錠組立体を前記電子カード用スロットに挿入すること、前記電子カード用スロット・ドアを閉じて前記凹状領域に入れるステップこと前記電子カード用スロット・ドアにより前記電子カード用スロットからの前記第１部材の取り出しを阻止すること、前記凹部領域が前記電子カード用スロット内で前記電子カード用スロット・ドアを越えて進むことを阻止すること、前記錠組立体ックを前記陳列スタンドの近傍の限られた領域に固定すること特徴とする電子機器係留方法。
【００３８】
7)  上記6)の電子機器係留方法であって、前記錠組立体が係留手段でつながれることを特徴とする電子機器係方法。
【００３９】
8)  上記6)の電子機器係留方法であって、更に突起部材を有する前記鍵組立体を前記受容領域に挿入すること、及び前記鍵組立体を前記受容領域から前記凹部領域内に滑り込ませて前記電子カード用スロット・ドアを前記凹状領域から押し上げて前記錠組立体を解放して前記電子カード用スロットから抜き出すことを特徴とする電子機器係留方法。
【００４０】
9)  上記6)の電子機器係留方法であって、更に、前記突出部材から成り前記受容領域に位置決めされた前記鍵組立体の前記凹状領域に対する移動を制止することから成る電子機器係留方法。
【００４１】
10) 上記6)の電子機器係留方法であって、更に、前記凹状領域に対する前記鍵組立体の移動を許容すること、及び前記受容領域から前記電子カード用スロット・ドアを回動させ前記鍵組立体を前記電子カード用スロットからの離脱のために解放させるため、前記受容領域から前記凹状領域に前記鍵組立体を滑り込ませることから成る電子機器係留方法。
【００４２】
以上、記述した本発明の電子機器係留装置30は、次に記すような新規な効果を奏するものである。
即ち、本発明の電子機器係留装置30は、前記錠組立体32と前記鍵組立体34を具備して成り、前記錠組立体32は、前記電子機器10の前記PCカード用スロット12内に滑り込み、所定位置に固定され、しかる後、前記展示スタンド71に、例えば、直接的にあるいは前記係留手段72を介して係留されるので、前記錠組立体32を前記電子機器10から解放させるために、前記鍵組立体34を前記錠組立体32内に挿入することによって前記PCカード用スロット12から前記錠組立体32を滑り出させて離脱するように解放することが可能になった。
【００４３】
本発明の前記錠組立体32は、該組立体32を前記PCカード用スロット12内に滑り込ませることを可能にするPCカード規格あるいは同様の専有仕様に適合する前記先導部材36、溝部44、及び閉塞部材40を具備しているので、挿入時に、前記先導部材36が前記PCカード用スロット・ドア14を越えて前進すると、前記ドア14が前記溝部44内に近づき、前記閉塞部材40は、前記錠組立体32が前記PCカード用スロット12内に更に前進することを阻止することが可能になった。
又、前記先導部材36は、前記錠組立体32が前記PCカード用スロット12から滑り出ることを阻止し、前記PCカード用スロット・ドア14は、前記溝部44内に楔状に割り込んで、前記錠組立体32を所定位置に固定することを可能にした。更に、本発明の係留手段72は、その一方端部が前記錠組立体32に永久的に取り付けられ、他方端部が前記陳列スタンド78あるいは近くの備え付け品に固定されるので、前記電子機器10の盗難を防止することが可能になった。
【００４４】
本発明の前記錠組立体32は、更に、一個以上の前記防護柵62、及び前記鍵組立体34を受容する領域56を具備し、前記防護柵62は、前記溝部44と前記受容領域56に夫々隣接して配設され、前記防護柵62に対応して前記鍵組立体34に一個以上の前記溝部70を画成させているので、作動中に、前記鍵組立体34は、前記錠組立体32の前記受容領域56内に挿入され、前記溝部70は前記防護柵62と一列に並び、前記鍵組立体34が前記防護柵62を越えて前記錠組立体32の溝部44内に滑り込むことを可能にした。
又、前記防護柵62と前記溝部70互いに係合すると、前記鍵組立体34の前進で、前記PCカード用スロット・ドア14を押し出すので、取扱者は前記PCカード用スロット12から前記錠組立体32を抜き取ることが可能になった。
【００４５】
本発明の前記鍵組立体34は、更に、前記錠組立体32に対して該鍵組立体34を所定位置に固定する前記ロックセット80を具備しているので、所定位置に固定されている間、前記鍵組立体34は前記錠組立体32内への滑り込みを阻止され一方、前記ロックセット80が解錠されていると滑り込みが可能になった。
【００４６】
その結果、前記PCカード用スロット12を有する小型電子機器10を係留した状態で顧客による使用、評価、及び比較のためのアクセスが可能になった。又、前記鍵組立体34を所定位置に放置することによって、前記PCカード用スロット12に対するアクセスを阻止して前記錠組立体32が引き出されることを防止することが可能になった。
【図面の簡単な説明】
【図１】図１は、電子カード用スロットを有する市販電子機器の斜視図である。
【図２】図２は、図１の市販電子機器の側面図である。
【図３】図３は、本発明の一実施態様に基づく係留装置の斜視図である。
【図４】図４は、図２の電子カード用スロット内に挿入された図３の錠組立体の縦断面図である。
【図５】図５は、図３の錠組立体を介して陳列スタンドに係留された市販電子機器の斜視図である。
【図６】図６は、錠組立体内に挿入された図３の鍵組立体と共に図２の電子カード用スロット内に挿入された図３の錠組立体の断面図である。
【図７】図７は、錠組立体に対して鍵組立体を固定するためのロックセットと共に    図３の錠組立体及び鍵組立体の断面図である。
【符号の説明】
10    電子機器
12    電子カード用スロット
14    電子カード用スロット・ドア
16    電子機器の一側面
18    レール
20    レール
22    レール
24    レール
30    本発明の電子機器係留装置
32    錠組立体
34    鍵組立体
36    先導部材
38    溝部材
40    閉塞部材
42    隆起部
44    溝部
46    壁部
52    通穴
56    受容領域
62    防護柵
66    把手部材
68    突起部材
70    溝部
72    係留手段
74    指示装置
76    別の係留手段
78    陳列スタンド
80    ロックセット
82    プランジャー部
84    キー部
90    陳列棚
【図１】
0003863602.tif 000002
【図２】
0003863602.tif 000003
【図３】
0003863602.tif 000004
【図４】
0003863602.tif 000005
【図５】
0003863602.tif 000006
【図６】
0003863602.tif 000007
【図７】
0003863602.tif 000008